(57)【要約】【課題】  トレイ形包装用箱の底パネル１を介してパッケージ容器１５の底部に加わる外力を緩和できるようにし、これにより、パッケージ容器１５に収納し、さらにトレイ形包装用箱に収納した生鮮果実等が傷みにくくする。【解決手段】  トレイ形包装用箱は、底パネル１の対向する２辺から箱体の側壁を形成するパネルを起立させ、底パネル１の対向する他の２辺から箱体の端壁を形成するパネルを起立させ、隣接する側壁のパネルと端壁のパネルとを互いに連結して上面を開口した箱体を形成し、箱体内部にトレイ状のパッケージ容器１５を収納するものである。さらに、壁を形成するパネルの底パネル１側に通気口１９、１９’を設けている。箱体内部にパッケージ容器１５の周囲に延設したフランジ１７を支持する支持フラップ１０、１１を設ける。支持フラップ１０、１１の底パネル１からの高さは、パッケージ容器１５のフランジ１７の高さより高くする。【選択図】      図３
2005193952.tif 000002
【特許請求の範囲】
【請求項１】
底パネル（１）の対向する２辺から箱体の側壁を形成するパネルを起立させ、底パネル（１）の対向する他の２辺から箱体の端壁を形成するパネルを起立させ、隣接するこれら側壁のパネルと端壁のパネルとを互いに連結して上面を開口した箱体を形成し、箱体内部にトレイ状のパッケージ容器（１５）を収納するトレイ形包装用箱において、箱体内部にパッケージ容器（１５）の周囲に延設したフランジ（１７）を支持する支持フラップ（１０）、（１１）を設け、側壁を形成するパネルの底パネル（１）側に通気口（１９）、（１９’）を設けたことを特徴とするトレイ形包装用箱。
【請求項２】
支持フラップ（１０）、（１１）の底パネル（１）からの高さは、パッケージ容器（１５）のフランジ（１７）の高さより高いことを特徴とする請求項１に記載のトレイ形包装用箱。
【請求項３】
箱体内部を仕切る仕切（５）、（５）の底パネル（１）側に通気口（２０）、（２０）を設けたことを特徴とする請求項１または２に記載のトレイ形包装用箱。
【発明の詳細な説明】
【技術分野】
【０００１】
本発明は、底パネルの対向する２辺から箱体の側壁を形成するパネルを起立させ、底パネルの対向する他の２辺から箱体の端壁を形成するパネルを起立させ、隣接する側壁のパネルと端壁のパネルとを互いに連結して上面を開口する箱体を形成したトレイ形包装用箱に関し、特に箱内に仕切パネルを設けたトレイ形包装用箱に関し、特に箱体内部にトレイ状のパッケージ容器１５を収納するトレイ形包装用箱に関する。
【背景技術】
【０００２】
例えば、イチゴ等の生鮮果実を収納したパックを収納して出荷する箱体として前述のようなトレイ形包装用箱が多く使用されている。
このトレイ形包装用箱は、矩形の底パネルの対向する２辺から側パネルを起立させ、底パネルの対向する他の２辺から端パネルを起立させる。そして例えば、側パネルの両側に延設した連結フラップを端パネルの内側で互いに連結し、二重にした端パネルの間に挟み込むか、或いは連結フラップを端パネルに連結することにより、隣接する側パネルと端パネルとを互いに連結したものである。
【０００３】
このようなトレイ形包装用箱は、長さや幅の寸法に比べて比較的浅く、仕切により４つに区画し、それぞれの区画にイチゴのパッケージ容器を収納する。そのために、対向する側パネルの間と対向する端パネルの間にそれぞれ仕切パネルを渡し、これら仕切パネルを中央で互いに差し込んで直交状に交差させている。イチゴのパッケージ容器は、透明な樹脂製の容器で、平面長方形であり、側面及び端面が逆台形であり、開口部周囲にフランジが延設されている。
【０００４】
トレイ形包装用箱は、イチゴ等の生鮮果実の生産農家で組み立てられる。すなわち、イチゴ等の生鮮果実の生産農家では、採果、収穫した生鮮果実を仕訳しながら、生鮮果実のパッケージ容器に詰める。さらにブランクからトレイ形包装用箱を組み立て、その中に生鮮果実を詰めた前記のパッケージ容器を収納し、出荷する。そして、市場での競り売り等を経て、小売店の店頭に並べられる。小売店の店頭では、パッケージ容器を一単位として生鮮果実が小売りされる。
【０００５】
イチゴのこのような流通過程において、生鮮果実の傷みを防止し、鮮度を保持するためには、荷物の取扱中にトレイ形包装用箱に収納梱包された生鮮果実に外力が及ばないようにしなければならない。特に、野地もののイチゴが多量に市場に出荷される前に出荷されるハウスもののイチゴは、市場に流通する量も野地もののイチゴに比べて少なく、市場で高値で取り引きされる。こののため、ハウスもののイチゴの流通過程においては、果実の傷みの防止が強く要請されている。
【０００６】
またこのハウスもののイチゴは、採果、収穫し、パッケージ容器に詰め、さらにトレイ形包装用箱に収納した後、予冷することにより、果実の成長を止めて、鮮度を保つことが行われる。この予冷は、イチゴを収納したトレイ形包装用箱を数段積み重ねた状態で予冷庫に収納して行われる。従来のトレイ形包装用箱は、側壁の上辺に凹状の通気窓を形成し、予冷時に積み重ねたトレイ形包装用箱の中に冷気が入り込むようにしている。
【０００７】
従来のトレイ形包装用箱は、イチゴを収納したパッケージ容器をトレイ形包装用箱の内部に仕切られた各区画に収納しているため、パッケージ容器は底パネルに接した状態で収納される。このため、パッケージ容器に収納された生鮮果実は、トレイ形包装用箱の底パネルの外部から加わる外力を底パネルを介して受けることになる。このため、流通過程で特にパッケージ容器の底部付近の生鮮果実が傷みやすい。
また、従来のトレイ形包装用箱は、側壁の上辺に凹状の通気窓を形成し、予冷時に積み重ねたトレイ形包装用箱の中に冷気が入り込むようにしているが、パッケージ容器の底側にある生鮮果実には、必ずしも十分な冷気が行きわたらなかった。
【特許文献１】特開２００２−３０２１１８号公報
【発明の開示】
【発明が解決しようとする課題】
【０００８】
本発明は、パッケージ容器に生鮮果実を収納した状態で梱包、出荷するための前述のような従来のトレイ形包装用箱の課題に鑑み、トレイ形包装用箱の底パネルを介してパッケージ容器の底部に加わる外力を緩和できるようにし、これにより、パッケージ容器に収納し、さらにトレイ形包装用箱に収納した生鮮果実等が傷みにくくすることを目的とする。さらに生鮮果実を収納したトレイ形包装用箱を数段重ねた状態で予冷庫に収納して予冷するときに、トレイ形包装用箱の中の隅々に冷気が行きわたるようにする。
【課題を解決するための手段】
【０００９】
本発明では、前記の目的を達成するため、箱体のパッケージ容器１５を収納する部分に、そのパッケージ容器１５の開口部の周囲に延設したフランジ１７を支持する支持フラップ１０、１１を設け、パッケージ容器１５をその底面だけでなく、パッケージ容器１５をフランジ１７でも支持するようにしたものである。或いは、パッケージ容器１５をフランジ１７のみで支持し、底面が箱体の底パネル１に当たらないようにした。これにより、パッケージ容器１５の底面からその中に収納した生鮮果実等の収納物に外力が及ばないようにした。さらに、側壁を形成するパネルや箱体内部を仕切る仕切５、５の底パネル１側に通気口１９、１９’、２０、２０を設け、予冷時に、箱体内部のパッケージ容器の底側にも確実に冷気が行きわたるようにした。
【００１０】
すなわち、本発明によるトレイ形包装用箱は、底パネル１の対向する２辺から箱体の側壁を形成するパネルを起立させ、底パネル１の対向する他の２辺から箱体の端壁を形成するパネルを起立させ、隣接する側壁のパネルと端壁のパネルとを互いに連結して上面を開口した箱体を形成し、箱体内部にトレイ状のパッケージ容器１５を収納するものであって、箱体内部にパッケージ容器１５の周囲に延設したフランジ１７を支持する支持フラップ１０、１１を設け、側壁を形成するパネルの底パネル１側に通気口１９、１９’を設けたものである。
【００１１】
このような本発明によるトレイ形包装用箱では、パッケージ容器１５を箱体内部に収納したとき、パッケージ容器１５の周囲に延設したフランジ１７が支持フラップ１０、１１で支持されるため、箱体を介してパッケージ容器１５に加わる外力をそのフランジ１７でも受けることが出来る。これにより、箱体の底パネル１を介してパッケージ容器１５の底面に加わる外力を緩和することが出来る。
【００１２】
さらに、側壁を形成するパネルの底パネル１側に通気口１９、１９’を設けたことにより、予冷時に、この箱体の側壁底面近くの通気口１９、１９’からもトレイ形包装用箱の中に冷気が入り込み、トレイ形包装用箱の中の底部の隅々に冷気が行きわたる。加えて、箱体内部を仕切る仕切５、５の底パネル１側に通気口２０、２０を設けることによりトレイ形包装用箱の内部でその底面側近くの冷気の流通が良好となる。
【００１３】
特に、パッケージ容器の底面とトレイ形包装用箱の底面支持フラップ１０、１１の底パネル１からの高さをパッケージ容器１５のフランジ１７の高さより高くすることにより、パッケージ容器１５の底面と箱体の底パネル１との間に隙間が生じる。これにより、箱体の底パネル１を介してパッケージ容器１５の底面に加わる外力を殆ど無くすことが出来る。加えて、前記側壁底面近くの通気口１９、１９’を通してトレイ形包装用箱の中の底部に入り込んだ冷気は、パッケージ容器１５の底面と箱体の底パネル１との間の隙間と仕切５、５の通気口２０、２０とを通って確実に流通する。
【発明の効果】
【００１４】
このように、本発明によるトレイ形包装用箱では、箱体の底パネル１を介してパッケージ容器１５の底面に加わる外力を緩和するか、或いは殆ど無くすことが出来るので、箱体の底パネル１を介してパッケージ容器１５の中に収納した収納物に及ぶ外力を緩和し、或いは無くすことが出来る。このため、生鮮果実等の収納物の傷みや破損を防止することが出来る。さらに、収納した生鮮果実の予冷時に、通気口１９、１９’により、トレイ形包装用箱の中の底側にも直接冷気を箱体内部に導入することが出来ると共に、仕切５、５の通気口２０、２０によりトレイ形包装用箱の底側に隅々に冷気を行きわたらせることが出来る。これにより効果的な予冷が可能となる。
【発明を実施するための最良の形態】
【００１５】
本発明では、箱体のパッケージ容器１５を収納する部分に、そのパッケージ容器１５の開口部の周囲に延設したフランジ１７を支持する支持フラップ１０、１１を設け、パッケージ容器１５をその底面ではなく、フランジ１７でも支持するようにし、パッケージ容器１５に収納された収納物に加わる外力を緩和するようにした。加えて、側壁を形成するパネルや箱体内部を仕切る仕切５、５の底パネル１側に通気口１９、１９’、２０、２０を設け、予冷時に、パッケージ容器の底面とトレイ形包装用箱の底面との間にも確実に冷気が行きわたるようにした。
以下、このような本発明の実施例について、図面を参照しながら具体例を挙げて詳細に説明する。
【実施例１】
【００１６】
図１は、本発明の一実施形態によるトレイ形包装用箱のブランクの展開図である。同図において、実線は外形線と切断線、破線は段ボールを破線状に切断すると共に、段ボールの中芯を線状に潰して形成した折線、二点差線は段ボールの中芯を線状に潰して形成した折線を表す。
【００１７】
矩形の底パネル１の両側部、すなわち図１において底パネル１の左右両側の折線から、一対の側外パネル２、２が延設されている。この側外パネル２、２の幅、すなわち図１において上下の寸法は、底パネル１の側辺の長さとほぼ同じである。また、この側外パネル２、２はその中央部が低く、その両端部が高くなっている。この側外パネル２、２の両側、すなわち図１において上下の辺の折線から補助フラップ９、９が延設されている。この補助フラップ９、９の高さは、側外パネル２、２の両側部分の高さと同じで、側外パネル２、２の中央部分より若干高くなってる。側外パネル２、２と補助フラップ９、９との折線は、上側、すなわち図１において両側に広がるようにやや傾斜している。側外パネル２、２の底側には、その底パネル１との折線に接して通気口１９’、１９’が開設されている。この通気口１９’、１９’は、側外パネル２、２の両側に１つずつ設けられ、底パネル１との折線に沿って長尺な矩形のものである。
【００１８】
この側外パネル２、２の両側中央部、すなわち図１において側外パネル２、２の左右両側中央部には、二点差線で示す平行な２本の折線を介して側内パネル８、８が延設されている。この側内パネル８、８は、側外パネル２、２に対し、二点差線で示す平行な２本の折線に沿って図１において紙面手前側に側内パネル８、８を折り曲げることができる。この側内パネル８、８の底側、すなわち図１において両側の先端辺側に通気口１９、１９が開設されている。この通気口１９、１９は、側内パネル８、８の両側に１つずつ設けられ、その先端辺に沿って長尺な矩形のものである。その位置は、前記側外パネル２、２に設けられた通気口１９’、１９’に対応している。
【００１９】
この側内パネル８、８の両側、すなわち図１において上下の端の折線からは、連結フラップ７、７が延設されている。この連結フラップ７、７の先端側には、後述するようにして箱体を組み立てるとき、連結フラップ７、７の先端部を互いに連結するためのスリットを有する。
【００２０】
矩形の底パネル１の両端部、すなわち図１において底パネル１の上下の２本ずつの平行な折線から、一対の端外パネル３、３が延設されている。この端外パネル３、３の幅、すなわち図１において左右の寸法は、底パネル１の幅、すなわち図１において左右の折線間の寸法とほぼ同じである。また、端外パネル３、３の高さは、前記側外パネル２、２の中央部分の高さと等しい。
【００２１】
この端外パネル３、３の上辺、すなわち図１において上下の辺には、２本の平行な折線を介して端内パネル４、４が延設されている。さらに、この端内パネル４、４の下辺、すなわち図１において上下の辺には、２本の平行な折線を介して支持フラップ１１、１１が延設されている。この支持フラップ１１の高さは、端外パネル３、３や端内パネル４、４より低い。
【００２２】
図１に示すように、箱体の本体を形成するブランクとは分離して、第一の仕切パネル５、５と第二の仕切パネル６が切り出されている。第一の仕切パネル５、５は２枚あり、その一方の端辺が折線を介して互いに連結されている。これら２枚の第一の仕切パネル５、５の形状は同じである。他方、第二の仕切パネル６は１枚である。
第一と第二の仕切パネル５、５と第二の仕切パネル６の高さは、前記側外パネル２、２の中央部分及び端外パネル３、３の高さとほぼ等しい。
【００２３】
第一の仕切パネル５の上辺、すなわち図１において右側の辺、つまり上辺となる縁の中央から縦に、その第一の仕切パネル５の高さの約半分程の深さのスリット１８が切り込まれている。この第一の仕切パネル５の幅、すなわち図１において上下の寸法は、底パネル１の側外パネル２、２との折線間の距離、すなわち底パネル１の図１において左右の寸法より僅かに小さい。この第一の仕切パネル５、５の中には、その下辺側にコ字形の支持フラップ１０、１０が切り出されている。この支持フラップ１０、１０は、その下辺において第一の仕切パネル５、５と折り曲げ自在に連なっている。
【００２４】
他方、第二の仕切パネル６の下辺中央部からは、スリット１２が切り込まれている。このスリット１２の深さは、第二の仕切パネル６の高さの約半分程であり、下側が広くなっている。また、この第二の仕切パネル６の両側辺の下部の約半分の高さの部分には、切欠１３、１３が設けられている。この第二の仕切パネル６の長さ、すなわち図１において左右の寸法は、底パネル１の端外パネル３、３との折線間の距離、すなわち図１において底パネル１の上下の寸法よりやや小さい。
【００２５】
このようなブランクからトレイ形包装用箱を組み立てる手順について次に説明する。
まず、箱体のブランクから第一と第二の仕切パネル５、６を切り離す。
次に、側外パネル２、２の両側の折線から補助フラップ９、９を何れも内側、すなわち図１において紙面の手前側にほぼ９０゜折り曲げ、さらに、側外パネル２、２を底パネル１との折線から図１において紙面の手前側にほぼ９０゜折り曲げ、箱体の側面外壁を形成する。このとき補助フラップ９、９は、箱体の端面側に位置する。
【００２６】
また、側内パネル８、８の両側の連結フラップ７、７をその折線から図１において紙面の奥側にほぼ９０゜折り曲げる。さらに、側内パネル８、８を側外パネル２、２との２本の折線から図１において紙面の手前側に９０゜ずつ、合計１８０゜折り曲げる。このとき、連結フラップ７、７は、箱体の端面側に位置し、両側の連結フラップ７、７の先端側が重なるので、それらの先端部を箱体の端面で互いに連結する。
【００２７】
次に、端外パネル３、３を底パネル１との折線から図１において紙面の手前側に９０゜折り曲げ、これを側内パネル８、８の両側から延設された連結フラップ７、７の外側に添える。続いて端内パネル４、４を、端外パネル３、３との境界である２本の折線で９０゜ずつ、合計１８０゜箱体の内側に折り曲げ、これを側外パネル２、２の両側から延設された補助フラップ９、９の内側に添える。同時に、支持フラップ１１を端内パネル４、４との２本の折線から図１において下側に９０゜弱ずつ、合計１８０゜弱折り曲げ、支持フラップ１１、１１を端内パネル４、４の内側に起立させる。図２は、片側の端外パネル３、端内パネル４及び支持フラップ１１を折り曲げて箱体の端部を構成した状態を示しており、他側の端外パネル３、端内パネル４及び支持フラップ１１を展開したままの状態で示している。
【００２８】
次に、第一の仕切パネル５、５をそれらの折線の間で１８０゜折り曲げて２枚重ね合わせると共に、支持フラップ１０、１０を第一の仕切パネル５、５の外側に１８０゜弱折り曲げ、第一の仕切パネル５、５の外側に起立させる。さらに、第一の仕切パネル５、５のスリット１８、１８を上側に向け、第二の仕切パネル６のスリット１２を下側に向け、それらを嵌め込んで直交状に交差させる。このとき、第二の仕切パネル６のスリット１２の下側の広い部分に支持フラップ１０、１０を挟み込む。
【００２９】
この状態で、図３に示すように、組み立てた第一の仕切パネル５、５と第二の仕切パネル６を、それぞれ組み立てた箱体の幅方向と長手方向に向けて、その中に挿入する。これにより、箱体の内側は、第一の仕切パネル５、５と第二の仕切パネル６とにより４つの部分に区画される。箱体の端面内側の支持フラップ１１、１１は、第二の仕切パネル６の両端の切欠１３、１３により押さえられる。これにより、箱体の組立は完了する。
この状態では、第一の仕切パネル５、５の支持フラップ１０、１０が第一の仕切パネル５、５の外側に１８０゜弱上側に起立させられた結果、支持フラップ１０、１０があった第一の仕切パネル５、５の下側の部分が開き、箱体の底部側に通気口２０、２０が開く。
【００３０】
この箱体の内部の第一の仕切パネル５、５と第二の仕切パネル６とにより区画された４つの部分には、図３に示すようなトレイ状のパッケージ容器１５を収納する。このパッケージ容器１５は、イチゴ等の生鮮果実を収納するためのもので、収納部１６の開口部の周囲にフランジ１７を有する。パッケージ容器１５は、第一の仕切パネル５、５と第二の仕切パネル６とにより区画された部分に収納された状態でそのフランジ１７の一部、すなわちフランジの端部側が前述した支持フラップ１０、１０、１１、１１により支持される。箱体を組み立てた状態で支持フラップ１０、１０、１１、１１の底パネル１の内面からの高さは、パッケージ容器１５の収納部１６の底面からフランジ１７の高さより高くなっており、このため第一の仕切パネル５、５と第二の仕切パネル６とにより区画された部分に収納されたパッケージ容器１５は、その底面が箱体の底パネル１には接触せず、隙間が生じる。
【００３１】
このようにして、パッケージ容器１５の底面が箱体の底パネル１には接触しないため、箱体の底パネル１を介してパッケージ容器１５の底面に加わる外力を殆ど無くすことが出来る。パッケージ容器１５の中に収納した生鮮果実等の収納物の傷みや破損を防止することが出来る。
【００３２】
また、箱体の側面の底部側には、前記側外パネル２、２と側内パネル８、８の箱体の底部側にそれぞれ設けられた通気口１９、１９、１９’、１９’により、開口部が形成される。パッケージ容器１５に詰めてトレイ形包装用箱の収納したイチゴ等の生鮮果実を予冷するとき、前記の通気口１９、１９、１９’、１９’からパッケージ容器１５の底面と箱体の底パネル１との間の隙間に冷気が流入する。さらにこの冷気は、パッケージ容器１５の底面と箱体の底パネル１との間の隙間と第一の仕切パネル５、５の下側の通気口２０、２０を通して箱体の底部全体に行きわたる。
【実施例２】
【００３３】
図４〜図６は、本発明によるトレイ形包装用箱の他の実施例を示す図である。図４がトレイ形包装用箱のブランクの展開図であり、図５が箱体の組立途中の状態、図６が箱体の組立が完了した状態の図である。この実施例は、基本的に図１〜図３による前述した実施例と共通しており、同じ部分は同じ符号で示している。図４の展開図における実線、破線、二点鎖線の意味も図１と同様である。
【００３４】
この実施例によるトレイ形包装用箱が図１〜図３による前述した実施例のトレイ形包装用箱と相違する点の一つは、第一の仕切プレート５がブランクの厚さ２枚分程度の間隔の２本の折線を介して上辺側が連なった２枚の板からなることである。スリット１８は、このれ折線が形成された上辺側に設けられている。相違する点の二つは、第二の仕切プレート６が、やはりブランクの厚さ２枚分程度の間隔の２本の折線を介して上辺側が連なった２枚の板からなることである。
【００３５】
この実施例によるトレイ形包装用箱において、箱体の本体を組み立てる手順は図１〜図３により前述した実施例のトレイ形包装用箱と基本的に同様である。第一の仕切プレート５と第二の仕切プレート６の組立手順が若干ことなるので、それを説明する。
まず、第一の仕切プレート５、５を２本の平行な折線で折り曲げ、２枚に重ねる。次に、支持フラップ１０、１０を第一の仕切パネル５、５の外側に１８０゜弱折り曲げ、第一の仕切パネル５、５の外側に立ち上げる。また、第二の仕切プレート６、６も２本の平行な折線で折り曲げ、２枚に重ねる。その後図５の状態から、スリット１２、１８を互いに差し込みながら、第一の仕切プレート５と第二の仕切プレート６とを直交状に交差させて組む。この状態で、組み立てた第一の仕切パネル５、５と第二の仕切パネル６を、箱体の中に配置する。この状態を図６に示す。
【００３６】
箱体の内部の第一の仕切パネル５、５と第二の仕切パネル６とにより区画された４つの部分にトレイ状のパッケージ容器１５を収納し、そのフランジ１７を支持フラップ１０、１０、１１、１１により支持すること等は、前述した実施例によるトレイ形包装用箱と全く同じであるため、説明を省略する。
【実施例３】
【００３７】
図７〜図９は、本発明によるトレイ形包装用箱のさらに他の実施例を示す図である。図７がトレイ形包装用箱のブランクの展開図であり、図８が箱体の組立途中の状態、図９が箱体の組立が完了した状態の図である。この実施例は、基本的に図４〜図６による前述した実施例と共通しており、同じ部分は同じ符号で示している。また、図７の展開図における実線、破線、二点鎖線の意味は図１と同様である。
【００３８】
この実施例によるトレイ形包装用箱が図４〜図６により前述した実施例によるトレイ形包装用箱と相違する点は、箱体の端内フラップ４、４に支持フラップ１１、１１が設けられておらず、この代わりに第二の仕切パネル６、６の両端に折線を介して支持フラップ１４、１４が連なっている点である。
【００３９】
この実施例によるトレイ形包装用箱において、箱体の本体を組み立てる手順は図４〜図６により前述した実施例のレイ形包装用箱と同様である。若干異なるのは、図８に示すようにして、第二の仕切パネル６の両端の支持フラップ１４、１４を両側に広げ、図９に示すように、組み立てた第一の仕切パネル５と第二の仕切パネル６とを箱体の中に配置する際に、前記支持フラップ１４、１４を端内フラップ４、４の内側に配置する。これにより、パッケージ容器１５のフランジ１７を支持する。
【００４０】
箱体の内部の第一の仕切パネル５、５と第二の仕切パネル６とにより区画された４つの部分にトレイ状のパッケージ容器１５を収納し、そのフランジ１７を支持フラップ１０、１０、１４、１４により支持すること等は、前述した実施例によるトレイ形包装用箱と全く同じであるため、説明を省略する。
【実施例４】
【００４１】
図１０〜図１２は、本発明によるトレイ形包装用箱のさらに他の実施例を示す図である。図１０がトレイ形包装用箱のブランクの展開図であり、図１１が箱体の組立途中の状態、図１２が箱体の組立が完了した状態の図である。この実施例は、基本的に図７〜図９による前述した実施例と共通しており、同じ部分は同じ符号で示している。また、図１０の展開図における実線、破線、二点鎖線の意味は図１と同様である。
【００４２】
この実施例によるトレイ形包装用箱が図７〜図９による前述した実施例によるトレイ形包装用箱と相違する点は、第一の仕切パネル５、５が、或る程度の幅を有する２本の平行な折線を介して連なった２枚のパネルからなる。その高さは、側外パネル２、２、側内パネル８、８、端外パネル３、３及び端内パネルより低い。この第一の仕切パネル５、５の通気口２０、２０は、前記平行な折線に沿って両側に２つずつ開設されている。
【００４３】
第二の仕切パネル６、６のスリットは、前記第一の仕切パネル５、５の２本の平行な折線の間隔に対応する間隔で設けた２本のスリットである。この第二の仕切パネル６、６の両側に設けた支持フラップ１４、１４は、図７〜図９による前述した実施例によるトレイ形包装用箱より短い。その分、端内パネル４、４の両側にも、折線を介してウイング状の支持フラップ２１、２１が設けられている。
【００４４】
この実施例によるトレイ形包装用箱において、箱体の本体を組み立てる手順は図７〜図９により前述した実施例のトレイ形包装用箱と同様である。若干異なるのは、図１１に示すようにして、第一の仕切パネル６はその折線から側面コ字形に折り曲げる。折線近くにある通気口２０は、箱体の底パネル１の上に開口部を形成する。次に、図９に示すように、組み立てた第一の仕切パネル５と第二の仕切パネル６とを箱体の中に配置する際に、前記支持フラップ１４、１４を端内フラップ４、４の内側に配置する。また、端内パネル４、４の両側のウイング状の支持フラップ２１、２１を約４５度の角度に折り曲げる。これらの支持フラップ１４、１４と支持フラップ２１、２１とにより、パッケージ容器１５のフランジ１７を支持する。
【００４５】
箱体の内部の第一の仕切パネル５、５と第二の仕切パネル６とにより区画された４つの部分にトレイ状のパッケージ容器１５を収納し、そのフランジ１７を支持フラップ１０、１０、１４、１４により支持すること等は、前述した実施例によるトレイ形包装用箱と基本的に同じであるため、説明を省略する。なお、この実施例では、２枚の第一の仕切パネル５、５が或る程度の間隔を維持して箱体内の保持され、且つその高さが箱体の側壁や端壁より低い。２枚の第一の仕切パネル５、５がトレイ状のパッケージ容器１５の一方のフランジ１７を支持する支持フラップ１０、１０を兼ねる。
【００４６】
なお、以上の各実施例の説明において、箱体の側面と端面は、箱体の上面と底面を除く４面を対向する２組ずつの面に区分して説明するためのもので、箱体の絶対的な位置関係を意味するものではない。それ故例えば、「側外パネル２、２」を「端外パネル２、２」と言い換え、「端外パネル３、３」を「側外パネル３、３」と言い換えることもできることはもちろんである。
【図面の簡単な説明】
【００４７】
【図１】本発明の一実施形態によるトレイ形包装用箱を組み立てる前のブランクを示す平面図である。
【図２】同実施形態によるトレイ形包装用箱を組み立てる途中の状態を示す斜視図である。
【図３】同実施形態によるトレイ形包装用箱の組み立てが完了した状態を示す斜視図である。
【図４】本発明の他の実施形態によるトレイ形包装用箱を組み立てる前のブランクを示す平面図である。
【図５】同実施形態によるトレイ形包装用箱を組み立てる途中の状態を示す斜視図である。
【図６】同実施形態によるトレイ形包装用箱の組み立てが完了した状態を示す斜視図である。
【図７】本発明のさらに他の実施形態によるトレイ形包装用箱を組み立てる前のブランクを示す平面図である。
【図８】同実施形態によるトレイ形包装用箱を組み立てる途中の状態を示す斜視図である。
【図９】同実施形態によるトレイ形包装用箱の組み立てが完了した状態を示す斜視図である。
【図１０】本発明のさらに他の実施形態によるトレイ形包装用箱を組み立てる前のブランクを示す平面図である。
【図１１】同実施形態によるトレイ形包装用箱を組み立てる途中の状態を示す斜視図である。
【図１２】同実施形態によるトレイ形包装用箱の組み立てが完了した状態を示す斜視図である。
【符号の説明】
【００４８】
１      底パネル
２      側外パネル
３      端外パネル
４      端内パネル
８      側内パネル
１０    支持フラップ
１１    支持フラップ
１５    パッケージ容器
１７    パッケージ容器のフランジ
１９    側内パネルの通気口
１９’  側外パネルの通気口
２０    仕切パネルの通気口
【図１】
2005193952.tif 000003
【図２】
2005193952.tif 000004
【図３】
2005193952.tif 000005
【図４】
2005193952.tif 000006
【図５】
2005193952.tif 000007
【図６】
2005193952.tif 000008
【図７】
2005193952.tif 000009
【図８】
2005193952.tif 000010
【図９】
2005193952.tif 000011
【図１０】
2005193952.tif 000012
【図１１】
2005193952.tif 000013
【図１２】
2005193952.tif 000014